(57)【特許請求の範囲】
【請求項１】
掃除機本体に内蔵された電動送風機により吸込まれる空気をフィルタに通して塵埃を捕捉し、前記フィルタを通過して前記電動送風機から排出された空気を回収し循環させながら掃除をする電気掃除機に備えられる吸込み口体において、
被掃除面に対向する外面に空気の吸込みを行なう吸気口を有した吸込み口体主部と、
前記吸気口の一側に位置して前記吸込み口体主部に設けられ循環される空気を前記吸気口側に吹出す還流吹出し口と、
前記吸気口を境に前記還流吹出し口と反対側に位置して前記吸込み口体主部に設けられ前記掃除機本体側に連通される接続部と、
掃除時に前記吸気口と対向して設けられ、前記還流吹出し口から前記接続部に至る空気を前記吸気口との対向面で案内するとともに、前記対向面に対するバイパス通路を有した吸込みガイドと、
を備えたことを特徴とする吸込み口体。
【請求項２】
前記バイパス通路を前記対向面に設けた１以上の溝で形成したことを特徴とする請求項１に記載の吸込み口体。
【請求項３】
前記溝を斜めに設けたことを特徴とする請求項２に記載の吸込み口体。
【請求項４】
掃除機本体内の電動送風機の動作により吸込み口体の吸気口から被掃除面側の空気を吸込み、この吸込んだ空気をフィルタに通して塵埃を捕捉し、前記フィルタを通過して前記電動送風機から排出される空気を前記吸気口に戻して、この戻された空気を回収し循環させながら掃除を行なう電気掃除機において、
前記吸込み口体を前記請求項１〜３項のうちいずれか１項に記載の吸込み口体としたことを特徴とする電気掃除機。
【発明の詳細な説明】
【０００１】
【発明の属する技術分野】
本発明は、空気循環式の電気掃除機及びこれが備える吸込み口体に関する。
【０００２】
【従来の技術】
空気循環式電気掃除機は、掃除機本体内の電動送風機の動作により吸込み口体の吸気口から空気を吸込み、この吸込んだ空気をフィルタに通して塵埃を捕捉し、フィルタを通過して電動送風機から排出される空気を吸気口に戻して、この戻された空気を回収し、循環させながら掃除をするものである。
【０００３】
この掃除機が備える吸込み口体の中には、特開平９−２３９９９号公報の第３図及び第４図に示されるように、床面と密着した場合に「開」、離れた場合に「閉」となる開閉弁、つまり、両端に吸い込み具の吸気口を挿通する突起を有し、ばねで常に閉じ方向に付勢された開閉弁を有したものが知られている。
【０００４】
この吸込み口体は開閉弁を開くことにより吸気口から吸塵をするものであり、その場合に、開閉弁を吸込みガイドとして利用し、その吸気口との対向面で、吸気口の一側から吸気口を挟んで他側に吹出される空気を案内できる点で優れている。
【０００５】
【発明が解決しようとする課題】
しかし、前記のような吸込みガイドを設けた構成では以下のような問題がある。すなわち、掃除対象が床面ではなく、シーツ、テーブルクロス、カーテン等のように腰が弱い軟質掃除面である場合には、軟質掃除面の吸気口に臨んだ部分が、吸気口に吸込まれて吸込みガイドの吸気口との対向面に吸付けられることがある。このような事態に至ると、軟質掃除面の吸込まれた部分が吸込み口体を通る空気の流れを遮るので、この吸込み口体に送り込まれる空気が逃げ場を求めて、吸気口を通って吸込み口体の外部に吹出されることに伴い、周囲の軽い塵埃を吹き飛ばす恐れが高い。
【０００６】
したがって、本発明が解決しようとする第１の課題は、吸気口に軟質掃除面が吸込まれても吸気口から空気が吹出されることを抑制できる吸込み口体を得ることにある。
【０００７】
本発明が解決しようとする第２の課題は、前記第１の課題を解決できる空気循環式の電気掃除機を得ることにある。
【０００８】
【課題を解決するための手段】
請求項１の発明に係る吸込み口体は、掃除機本体に内蔵された電動送風機により吸込まれる空気をフィルタに通して塵埃を捕捉し、前記フィルタを通過して前記電動送風機から排出された空気を回収し循環させながら掃除をする電気掃除機に備えられる吸込み口体を前提とする。
【０００９】
そして、前記第１の課題を解決するために、被掃除面に対向する外面に空気の吸込みを行なう吸気口を有した吸込み口体主部と、前記吸気口の一側に位置して前記吸込み口体主部に設けられ循環される空気を前記吸気口側に吹出す還流吹出し口と、前記吸気口を境に前記還流吹出し口と反対側に位置して前記吸込み口体主部に設けられ前記掃除機本体側に連通される接続部と、掃除時に前記吸気口と対向して設けられ、前記還流吹出し口から前記接続部に至る空気を前記吸気口との対向面で案内するとともに、前記対向面に対するバイパス通路を有した吸込みガイドと、を備えたことを特徴とするものである。
【００１０】
この発明においては、吸込み口体主部に掃除機本体側から還流される空気を還流吹出し口から吸気口側に吹出すとともに、この空気が接続部を経由して掃除機本体側に吸込まれて回収されるから、この空気循環に伴う吸気口での吸塵力により、被掃除面と吸込み口体主部の前記被掃除面と対向する外面との間の吸込み間隙の空気を、この間隙に臨んだ吸気口に吸込んで、空気循環式の掃除ができる。この空気循環式の掃除において、吸気口と対向している吸込みガイドは、その吸気口に向かい合う対向面により、還流吹出し口から吹出されて接続部に回収される空気及び塵埃を案内して、接続部への空気等の吸込みを円滑化できる。
【００１１】
ところで、空気循環式の掃除において、シーツ等の軟質掃除面が吸気口に吸込まれると、その吸込まれた部分が吸込みガイドの吸気口に対向している対向面に吸付けられて、還流吹出し口から接続部へと至る空気の流れを妨げる。しかし、この状態でも吸込みガイドが有するバイパス通路は塞がれることがないので、この通路を通して還流吹出し口から接続部へと至る空気の流れを確保できる。
【００１２】
そして、前記第１の発明を実施するにあたり、それに従属する請求項２の発明に係る吸込み口体のように、前記バイパス通路を前記対向面に設けた１以上の溝で形成するとよい。この発明においては、溝からなるバイパス通路を通って流吹出し口から接続部へと流れる空気が、吸込みガイドの対向面に吸付けられた軟質掃除面に臨んでこの軟質掃除面の塵埃を吸取ることができる点で優れている。
【００１３】
又、前記第２の発明を実施するにあたり、この発明に従属する請求項３の発明に係る吸込み口体のように、前記溝を斜めに設けるとよい。この発明においては、吸込み口体主部を軟質掃除面上に移動させるにしたがって、吸込みガイドの対向面に吸付けられた軟質掃除面に臨んでこの軟質掃除面の塵埃を吸取る面積を幅広く確保して、効率良く吸塵できる点で優れている。
【００１４】
請求項４の発明に係る電気掃除機は、掃除機本体内の電動送風機の動作により吸込み口体の吸気口から被掃除面側の空気を吸込み、この吸込んだ空気をフィルタに通して塵埃を捕捉し、前記フィルタを通過して前記電動送風機から排出される空気を前記吸気口に戻して、この戻された空気を回収し循環させながら掃除を行なう電気掃除機を前提とする。
【００１５】
そして、前記第２の課題を解決するために、請求項４の発明に係る電気掃除機は、前記吸込み口体を前記請求項１〜３項のうちいずれか１項に記載の吸込み口体としたことを特徴とするものである。
【００１６】
したがって、この空気循環式電気掃除機においては、請求項１〜３の発明に係る吸込み口体を備えることにより、これら請求項１〜３のうちいずれか１項の発明の作用を既述のように得ることができる。
【００１７】
【発明の実施の形態】
以下、図１〜図１０を参照して本発明の第１の実施の形態を説明する。図１及び図２に示されるように第１の実施の形態に係るハンディ型の空気循環式電気掃除機１１は、掃除機本体１２と、吸込み口体１３とを備えている。
【００１８】
後部上面にハンドル１２ａを有した掃除機本体１２は、上下又は左右一対の合成樹脂製本体ケース２１をねじ止め等により連結して形成されている。本体ケース２１の前部にはその前傾した前端面に一端が露出する接続口２２が取付けられている。接続口２２には吸込み口体１３が着脱自在に挿入して取付けられる。この接続口２２は、大径部と小径部とを連ねて段付き円筒状をなしていて、その小径部と大径部との境をなす壁面には複数の通気孔２２ａが周方向に間隔的に設けられている。
【００１９】
図２に示されるように両本体ケース２１の内面にはこれらの連結に伴って先端が互いに当接される所要の仕切りリブが一体に設けられており、これらリブによって、本体ケース２１内は、前部の集塵室２３と、中間部の排気室２４と、後部のリール収容部２５と、集塵室２３及び排気室２４の下側にわたる戻し空気路をなす本体ケース２１下部の還流室２６とに仕切られている。排気室２４の前側に位置された集塵室２３の上面は開口され、この開口は本体ケース２１の前部上側部分に着脱可能に取付けられるケース蓋２７により気密的に閉じられている。
【００２０】
図２に示されるように集塵室２３の前壁はフィルタ取付け部２８として形成され、このフィルタ取付け部２８の上端近傍には手動によりばね２９の力に抗して図２中矢印方向に枢軸３０ａを中心にして回動操作されるフィルタ押さえ３０が取付けられている。集塵室２３に出し入れ可能に収容されるフィルタとしての紙パック製の集塵袋３１は、その平板状の口枠３１ａをフィルタ押さえ３０によりフィルタ取付け部２８に取付けることにより集塵室２３に収容されている。集塵室２３の後部には多数の細長い通気孔を有したフィルタ支え３２が収容され、このフィルタ支え３２は掃除動作に伴い膨張した集塵袋３１の後面を支持する。
【００２１】
排気室２４には電動送風機３５がその吸込み口を集塵室２３側に向けて設置されている。３６、３７は電動送風機３５の前後両端部に嵌合された防振用のモータ支持ゴムである。排気室２４と集塵室２３との境界部に位置される仕切りリブ３８には前記吸込み口に対向する開口３８ａが開けられており、それによって集塵室２３内の集塵袋３１を通過した空気が電動送風機３５に吸込まれる。
【００２２】
電動送風機３５は、電動送風部とこの送風部に取付けられた後述のモータカバー３９とを備えている。すなわち、図２に示されるよう電動送風部は、固定子３５ａと、この固定子３５ａの鉄心の一端面に固定された軸受ブラケット３５ｂにねじ止めされたディフューザ３５ｃと、このディフューザ３５ｃの周部に嵌合して取付けられて前記吸込み口を有したファンカバー３５ｄと、固定子鉄心の他端面にねじ止めされた軸受ブラケット３５ｅ及び前記ブラケット３５ｂに夫々取付けられた軸受にわたって回転自在に支持された回転子３５ｆと、この回転子３５ｆの回転子軸の一端部に連結されてファンカバー３５ｄで覆い隠される遠心ファン３５ｇと、回転子３５ｆが有する整流子３５ｈに弾性的に押付けられるカーボンブラシを有した図示しない一対のブラシ装置とを有している。
【００２３】
したがって、この電動送風部は、ディフューザ３５ｃ及び遠心ファン３５ｇをファンカバー３５ｄの内部に収めた送風部の下流側に、固定子３５ａ及び回転子３５ｆ等の前記送風部以外の部品からなるモータ部が突出した構成となっている。ファンカバー３５ｄの外周面には前記モータ支持ゴム３６が嵌合されている。軸受ブラケット３５ｅの軸受取付部３５ｉ以外の所は例えば４本の柱構造をなしており、そのうちの２本の柱部に前記ブラシ装置が取付けられている。
【００２４】
電動送風機３５の運転時には、その吸込み口から遠心ファン３５ｇに吸込まれた集塵室２３側の空気が、このファン３５ｇの周囲から吐出された後、ファンカバー３５ｄの内面で案内されながらディフューザ３５ｃ内にその外周部の入口から流入し、そして、このディフューザ３５ｃにより静圧化されながらモータ部の固定子３５ａの周囲に向けて流出される。
【００２５】
図２に示されるように電動送風機３５のモータカバー３９は、合成樹脂によりカップ状に成形されていて、前記電動送風部のディフューザ３５ｃよりも下流側部分を覆い隠している。このカバー３９はその開口縁部をファンカバー３５ｄの外周部に嵌合して取付けられている。両カバー３５ｄ、３９間には前記モータ支持ゴム３６のディフューザ３５ｃ側の端部が挟まれて、これらの間を気密的にシールしている。このモータカバー３９の周壁には、電動送風機３５から出る排気に対して掃除機本体１２を熱的に保護するため温度センサとして、例えば温度過昇防止用のサーモスタット（図示しない）が取付けられているとともに、モータカバー３９内と排気室２４とを連通する複数の排気通孔４１（一つのみ図示）が開けられている。
【００２６】
モータカバー３９の底壁中央部に設けた孔には前記ブラケット３５ｅの軸受取付部３５ｉが貫通され、この取付部３５ｉの外面に前記モータ支持ゴム３７が嵌合されている。このモータカバー３９を備えた電動送風機３５は、その前後両端部にモータ支持ゴム３６、３７を夫々嵌め付けた状態で、排気室２４及びリール収容部２５の境界をなす仕切りリブ４５と前記仕切りリブ３８との間に挿入して設置される。なお、こうした支持は掃除機本体１２の組み立てに伴って一対の本体ケース２１の夫々についてなされる。
【００２７】
図２に示されるようにリール収容部２５には電動送風機３５に給電するためのコードリール５１が収容されている。又、掃除機本体１２の後部壁には排気口５２が複数設けられている。これら排気口５２のうち掃除機本体１２の後壁２１ａに在る部分は、後壁２１ａを下にして掃除機本体１２を床面上に立てて置く場合に脚として使用するために後壁２１ａの外面に突設された脚用突部５３に開口されている。排気口５２と前記排気室２４とは、コードリール５１の外面に沿って形成された図示しないトンネル状の排気径路を介して連通されている。この排気径路は、コードリール５１の電源コードが通る本体ケース２１の図示しないコード通し部からの排気の吹出しを防止するために有効であるが、コードリール５１全体を排気から隔離するリブを本体ケース２１に設ける場合などには省略できるとともに、排気室２４とリール収容室２５とをリブ等で完全に区画した空気循環式電気掃除機においては、既述の掃除機本体１２から外部へ排気するための構造は省略できる。
【００２８】
図２に示されるようにモータカバー３９の周部には前記排気通孔４１に比較して遥かに開口面積が大きく短い角筒状の空気出口５５が下向きに一体に突設され、この出口５５にはゴムパッキン５６が嵌合されている。空気出口５５は前記還流室２６を仕切る仕切りリブ５７に設けた孔５８に気密的に接続されている。そのため、空気出口５５を介してモータカバー３９内と還流室２６における掃除機本体１２の後部側端部とは連通されている。
【００２９】
図１及び図２中５９は電動送風機３５への通電をオン・オフするスイッチである。又、６０は、電動送風機３５の吸込み側に位置する集塵室２３内の真空圧が所定の値より下がった時に開いて外気を集塵室２３内に導入するためのリーク弁である。
【００３０】
次に、図３〜図１０を参照して前記吸込み口体１３について説明する。吸込み口体１３は、掃除機本体１２側に連通される接続部としての接続管１０１と、吸込み口体主部１０２と、還流吹出し口１０３と、風向き変更手段としての風向き制御体１０４とを備えており、後述のばね以外の各部品はすべて合成樹脂の成形品である。
【００３１】
前記接続口２２に着脱可能に挿入して掃除機本体１２側に連通される接続管１０１は、図８及び図９に示されるように両端が開口された内側接続管１０５と、この先端部側に一体かつ同軸的に設けられた外側接続管１０６とを有している。
【００３２】
外側接続管１０６よりも長い円筒形状の内側接続管１０５は、接続口２２の小径部に挿入されて前記口枠３１ａが有するゴム製シール弁（図示しない）、又は接続口２２の集塵室２３側端部に嵌め付けられるゴム製シール弁（図示しない）を押し開いて、塵埃を含んだ空気を前記集塵袋３１内に導くようになっている。この内側接続管１０５の本体ケース２１外に突出される先端部の開口縁には上下一対のストッパ突縁１０７、１０８が外向きに突出されている。
【００３３】
外側接続管１０６は、接続口２２の大径部に挿入されるもので、その軸方向一端において内側接続管１０５との間に還流空気導入口１０６ａを形成している。この外側接続管１０６の軸方向他端部には前記軸方向に対して直角で互いに外側方向を向いて開口する左右一対の還流空気導出口１０６ｂが形成されている。これら還流空気導出口１０６ｂの周壁は円環形の枢軸筒部１０９をなしており、この筒部１０９の外周面には周方向に連続するフランジ１１０が一体に突設されている。外側接続管１０６の還流空気導入口１０６ａ側の外周面には合成ゴム製Ｏリング等の気密シール材１１１が取付けられている。なお、図中１１２は外側接続管１０６から一体に突設された爪である。
【００３４】
この接続管１０１は、図２に示されるように外側接続管１０６が接続口２２の通気孔２２ａが開けられた壁面に当るまで挿入され、この挿入により外側接続管１０６が接続口２２の内周面に嵌合されて、この内周面との間の気密を気密シール材１１１により確保して、かつ、この状態で周方向に回動させることにより、通気孔２２ａを通った爪１１２を通気孔２２ａを有した前記壁面に引っ掛けて本体ケース２１に取付けられる。爪１１２の引っ掛りにより接続口２２に対する吸込み口体１３に対する外れ止めがなされるとともに、前記還流室２６と外側接続管１０６の内部とは、還流空気導入口１０６ａ及びこれと近接して対向する通気孔２２ａとを介して連通される。
【００３５】
図３及び図４に示されるように吸込み口体主部１０２は主部上ケース１２１と主部下ケース１２２とを互いに嵌合させるとともにねじ１２０により連結して形成されている。主部上下両ケース１２１、１２２の後部内面には半円状の凹みを有したリブからなる一対の軸受板１２３、１２４が夫々一体に突設されていて、これらにより前記両枢軸筒部１０９が夫々上下から挟まれ回動可能に支持されている。この支持構造により吸込み口体主部１０２の後部に接続管１０１が上下方向に起倒するように回動可能に枢着され、又、吸込み口体主部１０２の回動により被掃除面に対して適正な姿勢を吸込み口体主部１０２が得られるようになっている。接続管１０１に対する吸込み口体主部１０２の上下方向の回動は、前記ストッパ突縁１０７、１０８により規制されるとともに、この回動の際フランジ１１０と軸受板１２３、１２４との互いの合い面は摺接される。図８中Ｐは接続管１０１と吸込み口体主部１０２との回動中心を示している。
【００３６】
図８に示されるように吸込み口体主部１０２内は、互いに連続する仕切り１２５及び中仕切り１２６によって内側接続管１０５に連通する回収室１２７と、この回収室１２７をその下面開口を除いて囲む吹出し室１２８とに区画されている。図４等に示されるように仕切り１２５は、主部上ケース１２１の内面の幅方向中央部に左右一対の軸受板１２３相互にわたって一体に突設されたリブからなり、内側接続管１０５の入口１０５ｃに対向している。回収室１２７は吸気口１２９に連通されており、また、吹出し室１２８には前記還流空気導出口１０６ｂが連通されている。吸気口１２９は主部下ケース１２２の被掃除面と対向する底壁１２２ａに開口して設けられている。
【００３７】
中仕切り１２６は、主部上下両ケース１２１、１２２とは別に成形された合成樹脂板からなり、吸込み口体主部１０２の前部の幅方向略全体にわたって配置されている。この中仕切り１２６の中央部に成形された上向き後縁部は仕切り１２５の下縁に凹凸嵌合されているとともに、この上向き後縁部の両側の下向き後縁部は主部下ケース１２１に形成された仕切り縁部に上側から凹凸嵌合されている。
【００３８】
前記両室１２７、１２８を区画するために、これらとは別の中仕切り１２６を用いることは、この仕切り１２６に相当する部位を主部上下両ケース１２１、１２２のいずれかに一体に成形する必要がないので、これらの成形型の構造を簡単にできて、その成形も容易にできる点で優れているとともに、中仕切り１２６の下縁と前記底壁１２２ａにおける前縁部分１２２ｂの内面と間に形成される前記還流吹出し口１０３の大きさ等を、マイナーチェンジ等において変更する必要がある場合に、中仕切り１２６を交換することで容易に対応できる点で優れている。そして、図１０等に示されるように中仕切り１２６の長手方向中央部の裏面にはリブ等からなる遮風凸部１２６ａが突設されている。なお、図４中１２１ａは仕切り１２６を上方から押さえ付けて固定するために主部上ケース１２１の内面に一体に突設されたボスである。
【００３９】
還流吹出し口１０３は回収室１２７の一側（本実施の形態では前側）に位置して形成され、吹出し口１０３からは、吹出し室１２８内に戻されて仕切り１２６及び主部上ケース１２１をガイドとして流動する空気が回収室１２７側に向けて吹出される。なお、図３、図６〜図８において符号１３１は、スペーサ手段として底壁１２２ａの周部にその前縁部分１２２ｂを除いて間隔的に植え込まれた下向きの第１ブラシ毛であり、これらは可撓性を有しているとともに被掃除面と吸気口１２９との間に所定の狭い吸込み間隙を形成するようになっている。
【００４０】
吸込み口体主部１０２の底部には、吸気口１２９に発生する吸塵力の大きさを、還流吹出し口１０３から吹出される空気の吹出し方向を変更することによって制御する前記風向き制御体１０４が取付けられている。
【００４１】
すなわち、図３、図６〜図８等に示されるように風向き制御体１０４は、合成樹脂により枠状に成形された制御体本体１４１の前枠部により吸込みガイドとしての風向き制御板部１４２を形成するとともに、後枠部に被掃除面を検出するための検出部としての第２ブラシ毛１４３を下向きに突設して形成されている。前記吸気口１２９及び回動中心Ｐよりも後方に位置しかつ還流吹出し口１０３の長手方向中央部に対応して設けられた第２ブラシ毛１４３は、これに限るものではないが、吸込み口体主部１０２の幅方向に延びて密に連続しているとともに、第１ブラシ毛１３１よりも下方への突出長さが長く、かつ、軟質である。制御体本体１４１の両側枠部には夫々枢軸部１４４が一体に突設されている。
【００４２】
第２ブラシ毛１４３は前記内側接続管１０５の入口１０５ｃの真下に取付けられ、かつ、吸込み口体主部１０２の幅方向に延びる長さは、入口１０５ｃの左右方向の最大開口幅よりも長い。特に、本実施形態では前記長さを一対の枢軸筒部１０９の先端間の寸法よりも少し長くしてあり、それによって、第２ブラシ毛１４３は吸込み口体主部１０２の後方へ吹き抜けようとする空気の予想径路を横切っている。なお、前記のような配置の第２ブラシ毛１４３がない場合には、吸込み口体１３が還流空気導出口１０６ｂを形成する一対の枢軸筒部１０９を有することから、吸気口１２９からの空気の吹出しは吸込み口体主部１０２の幅方向中央部に集中して、吸込み間隙において前記接続管１０５の入口１０５ｃの真下を集中して吹き抜けるようになる。
【００４３】
図８に示されるように風向き制御板部１４２は、その前端部に下側に行くにしたがって斜め後方に傾斜する比較的急角度の風向き変更用の斜面部位１４２ａを有しているとともに、この斜面部位１４２ａの傾斜下端から後方に向けて突出する導風ガイド部位１４２ｂとを有している。特に、導風ガイド部位１４２ｂの長手方向中央部、すなわち、内側接続管１０５の吸気口１２９に臨んだ入口１０５ｃに向かい合う中央部分は、入口端１０５ｃに向けて突出されているとともに、その後端部は円弧状をなして上向きに反っている。このような導風ガイド部位１４２ｂを設けることは、還流吹出し口１０３から吹出される空気を円滑に前記入口１０５ｃに向けて案内でき、渦による風損を少なくできる点で優れている。
【００４４】
吸込みガイドとしての風向き制御板部１４２は吸気口１２９に対向しており、その吸気口１２９と向かい合う対向面１４２ｂｆ（図３参照）には、この面１４２ｂｆに対する１以上のバイパス通路１４５が設けられている。図７等に示されるようにバイパス通路１４５は、例えば導風ガイド部位１４２ｂの中央部分の下面に、吸込み口体主部１０２の前後方向に対して斜めに設けた複数の互いに隣接するリブ状膨出部１４６間の溝で形成されている。したがって、この溝からなるバイパス通路１４５もリブ状膨出部１４６と同様に斜めに設けられている。
【００４５】
一方、主部下ケース１２２の底壁１２２ａの外面には、図６等に示されるように主部下ケース１２２の幅方向両端部において吸気口１２９に連通する凹み１５１が形成されている。この凹み１５１は制御体本体１４１の前枠部を除いた形状より一回り大きな形状の溝からなり、この凹み１５１に臨んで底壁１２２ａには軸受穴１５２を夫々有した一対の軸受部１５３が夫々形成されている。そして、風向き制御体１０４は、その一対の枢軸部１４４を軸受部１５３の軸受穴１５２に夫々嵌入することによって、その枢軸部１４４を支点として回動自在に取付けられている。
【００４６】
風向き制御体１０４が主部下ケース１２２に取付けられた状態ではその第２ブラシ毛１４３が、常に底壁１２２ａの外面から突出される。そして、風向き制御体１０４の後枠部と底壁１２２ａとの間には付勢体としての左右一対のばね１５４が挟設され、これらのばね１５４の下方への付勢力により、第２ブラシ毛１４３が被掃除面に接していない状態では風向き制御体１０４は斜めになって図８（Ａ）に示す第２制御位置に保持される。
【００４７】
なお、図３、図６〜図８中１５５は第２ブラシ毛１４３の後側に接近して底壁１２２ａの外面に植え込まれた可撓性を有する第３ブラシ毛であり、このブラシ毛１５５は第１ブラシ毛１３１と同様な突出高さ及び強度をもって設けられている。ブラシ毛１５５を設けることは、吸込み口体１３を被掃除面に接触させた際において、被掃除面への吸込み口体１３の押付け荷重を第１ブラシ毛１３１とともに受けて、第２ブラシ毛１４３の過度の変形を防止できる点で優れている。又、図３、図６〜図８等に示す符号１５６は斜め前側に向けて起毛したベルベット状の平面清掃体であり、吸気口１２９の真後ろに位置して底壁１２２ａの外面に取付けられている。この清掃体１５６は吸込み口体１３の前進時に塵埃を捕捉し、後退時に既に捕捉した塵埃を離脱させるようになっている。
【００４８】
次に、前記構成の吸込み口体１３を備えた空気循環式電気掃除機１１の動作を説明する。この電気掃除機１１は図２に示されるように掃除機本体１２の接続口２２に吸込み口体１３の接続管１０１を差込み接続した状態で、ハンドル１２ａを握持して電気掃除機１１全体を持ったままで、コードリール５１から巻き戻された電源コードを介して電動送風機３５に給電してこの送風機３５を運転することにより使用される。
【００４９】
この使用時には、吸込み口体１３の内側接続管１０５を通って集塵袋３１に流入した吸込み空気（図２及び図８中点線矢印で流れ方向示す）中に含まれる塵埃が集塵袋３１に捕捉され、この集塵袋３１を通った空気は、更にフィルタ支え３２を通過して電動送風機３５に吸込まれてから、そのモータカバー３９の空気出口５５を通って還流室２６に排出されるとともに、その一部は排気通孔４１を通って排気室２４に排出される。
【００５０】
こうして還流室２６に流入した排気は、接続口２２の通気孔２２ａから接続管１０１の外側接続管１０６内に導入されて、この外側接続管１０６の一対の還流空気導出口１０６ｂから吸込み口体主部１０２の吹出し室１２８に導出された後、還流吹出し口１０３から吸気口１２９側、言い換えれば、接続管１０１の内側接続管１０５の入口１０５ｃが臨んだ回収室１２７側に吹出されて、内側接続管１０５を介して掃除機本体１２側に吸込まれる。こうした空気の流れを図２及び図８中実線矢印で示す。このように電動送風機３５から排出された空気を吸込み口体１３で回収し循環させることに伴い、その勢いで吸込み口体１３の底壁１２２ａと被掃除面との間の吸込み間隙の塵埃が外部の空気とともに吸気口１２９に吸込まれるので、空気循環式の掃除をすることができる。
【００５１】
なお、このような掃除中において、モータカバー３９内の空気の一部は既述のように排気通孔４１を通るので、排気室２４には排気が満たされる。こうして排気室２４に満たされた排気は、図示しない排気径路を通って掃除機本体１２の後壁２１ａに形成された排気口５２から掃除機本体１２外に排出される。
【００５２】
次に、掃除中における風向き制御体１０４の動作について説明する。
【００５３】
被掃除面から吸込み口体１３が離れている時には、ばね１５４の付勢力で風向き制御体１０４は図８（Ａ）に示される第２制御位置に保持されている。この第２制御位置において風向き制御体１０４の風向き制御板部１４２は、回収室１２７内において還流吹出し口１０３の上側に位置されるから、還流吹出し口１０３から後方に吹出される空気は、風向き制御板部１４２の前端部をなしている斜面部位１４２ａに吹き当たることなく、被掃除面以外の方向、例えば被掃除面と略平行に後方に向けて吹出される。言い換えれば、吸気口１２９から下方に向かうことな被掃除面と略平行な気流を形成するように内側接続管１０５の入口１０５ｃ側に吹出されて、内側接続管１０５内に吸込まれる。
【００５４】
このように被掃除面と略平行に吹出されて回収される空気は多少とも広がりながら流動するも、吸気口１２９を通って外部に吹き出るようなことはないから、この状態で還流吹出し口１０３から内側接続管１０５に回収される空気の勢いで吸気口１２９に生起される吸塵力は、後述の第１制御位置に風向き制御体１０４が配置された場合に比較して小さい。又、前記のように回収される空気の勢いも、後述の第１制御位置に風向き制御体１０４が配置された場合に比較して低下しているので、空気の吹出しに伴う音が小さく、低騒音で運転できる。
【００５５】
又、被掃除面に吸込み口体１３を押し当てると、それに伴い風向き制御体１０４の被掃除面検出部としての第２ブラシ毛１４３が被掃除面に接触して押上げ力を受けるから、ばね１５４の付勢力に抗して風向き制御体１０４が枢軸部１４４を中心に回動されて、この制御体１０４は図８（Ｂ）に示される第１制御位置に配置される。なお、第２ブラシ毛１４３は、可撓性を有しているものの、密集して、しかも、帯状に長く設けられているので、被掃除面の押上げ力を伝達できる。
【００５６】
第１制御位置において風向き制御体１０４の風向き制御板部１４２は、吸気口１２９側に寄るとともに斜面部位１４２ａを還流吹出し口１０３と対向させて配置される。そのため、還流吹出し口１０３から後方に吹出される空気は、風向き制御板部１４２の斜面部位１４２ａに吹き当たって斜め下方に向けて案内されるので、吸気口１２９から下方に吹き出て被掃除面で反射され再び吸気口１２９から前記底壁１２２ａと被掃除面との間の吸込み間隙の空気とともに回収室１２７に吸込まれ、引続いて内側接続管１０５内に吸込まれる。
【００５７】
この場合、風向き制御板部１４２の斜面部位１４２ａと還流吹出し口１０３との間の隙間が狭まるので、吸気口１２９を通って被掃除面側に吹き出る空気の流速は高まる。そのため、じゅうたん等の被掃除面から塵埃を掘り起こす作用を得ることができるとともに、被掃除面上の比較的重い塵埃でも吹き上げることができる。言い換えれば、還流吹出し口１０３から内側接続管１０５に回収される空気の勢いが良いことに伴い、吸気口１２９での吸塵力は、図８（Ａ）に示される第２制御位置に風向き制御体１０４が配置された場合に比較して大きい。
【００５８】
なお、被掃除面に吸込み口体主部１０２を軽く押し当てた状態では、第１、第３のブラシ毛１３１、１５５がストッパとなって、これらの突出長さに等しい前記吸込み間隙が形成されて空気循環式の掃除が行なわれるが、この段階から必要に応じて更に強く吸込み口体主部１０２を被掃除面に押付ける場合には、各ブラシ毛１３１、１５５の可撓変形を伴って吸込み間隙をより狭くすることができる。
【００５９】
又、風向き制御体１０４が前記各制御位置等のいずれかに配置された時の空気循環式の掃除において、吸気口１２９と対向している風向き制御板部１４２は、その吸気口１２９に向かい合う対向面１４２ｂｆにより、還流吹出し口１０３から吹出されて接続管１０１の内側接続管１０５に回収される空気及び塵埃を案内して、内側接続管１０５への塵埃の吸込みを円滑化することができることは言うまでもなく、その際に特に溝からなるバイパス通路１４５によって、風向き制御板部１４２に沿って流動する空気を整流できる点で優れている。
【００６０】
次に、前記電気掃除機１１でシーツやテーブルクロス等の自在に変形できる軟質掃除面を掃除する場合について説明する。この掃除は通常の床面の掃除と同様に行われるが、この場合に軟質掃除面の一部が吸気口１２９に吸込まれることがある。このような事態に至った場合には、吸込まれた軟質掃除面が、吸気口１２９側に寄せられて前記第１制御位置に配置された風向き制御板部１４２の下面に張り付くようになって、還流吹出し口１２９から接続部１０１の内側接続管１０５の入口１０５ｃへと至る空気の流れを妨げるようになる。
【００６１】
しかし、風向き制御板部１４２はその下面にバイパス通路１４５を有し、この通路１４５は軟質掃除面が吸気口１２９に吸込まれた状態でも塞がれることがない。したがって、前記状態でも吸込み口体１３内での空気の流通が吸気口１２９と風向き制御板部１４２との間に吸込まれた軟質掃除面により遮断されることがなく、バイパス通路１４５を通して還流吹出し口１０３から内側接続管１０５の入口１０５ｃへと至る空気の流れを確保できる。そのため、吸込み口体１３に送り込まれる空気が逃げ場を求めて、吸気口１２９を通って吸込み口体１３の前部下方に吹出されることを抑制できるとともに、それに伴って周囲の軽い塵埃が吹き飛ばすことを防止できるものである。
【００６２】
又、前記のようにバイパス通路１４５を通して吸込み口体１３内で空気の流通ができることに伴い、吸気口１２９に吸込まれた軟質掃除面を吸い付ける作用も軽減されるから、このような軟質掃除面の吸込み状態であっても、比較的容易に吸込み口体１３を軟質掃除面に沿うように滑り動かして掃除することができる。なお、溝からなるバイパス通路１４５を吸込み口体１３の移動方向と略平行に設けることにより、抵抗を少なくして吸込み口体１３の移動をより容易にできる。
【００６３】
しかも、前記のように吸込み口体１３を軟質掃除面に沿うように滑り動かして掃除する場合、溝からなるバイパス通路１４５が吸気口１２９に吸込まれた軟質掃除面に臨んでいるので、バイパス通路１４５を通り抜けて循環する空気によって軟質掃除面に対する吸塵を行なうことができる。更に、この場合、溝からなるバイパス通路１４５を膨出部１４６とともに斜めに設けた（なお、図７に示されるように複数のバイパス通路１４５を内側接続管１０５の入口１０５ｃに向けてハ字形状となるように互いに逆方向に傾斜させて実施した）から、吸気口１２９に軟質掃除面が吸込まれた状態で、吸込み口体１３を軟質掃除面に沿うように滑り動かして掃除する際において、バイパス通路１４５の軟質掃除面に対する移動軌跡を大きくできる。言い換えれば、軟質掃除面に臨んでこの軟質掃除面の塵埃を吸取る面積を幅広く確保できるので、効率良く吸塵できる点で有利である。
【００６４】
又、前記のようにバイパス通路１４５が有効に機能している時は、吸気口１２９に吸込まれた軟質掃除面の風路抵抗により、内側接続管１０５に波及される吸込み力にしたがって回収室１２７の真空圧が高まるので、還流吹出し口１０３から吹出された空気が、風向き制御板部１４２と中仕切り１２６との間の僅かな隙間を通って風向き制御板部１４２と中仕切り１２６との間の空隙（回収室１２７の一部）に吸気口１２９側を経由することなく吸込まれるようになる（この空気の流れを裏側バイパス流と称する。）。そして、このような裏側バイパス流による回収室１２７への空気の吸込み量が多いと、バイパス通路１４５を通る空気の量が減少して掃除性能の低下をきたす。
【００６５】
しかし、中仕切り１２６の内面には風向き制御板部１４２の裏面側に突出する遮風凸部１２６ａを設けてあり、この凸部１２６ａにより裏側バイパス流の流路断面積を狭めたので、裏側バイパス流による回収室１２７への空気の吸込み量を抑制できる。そのため、バイパス通路１４５を通る空気の量が多く確保されて吸塵性能の低下を防止することができる。
【００６６】
なお、このように裏側バイパス流の流路断面積を狭めるためには、遮風凸部１２６ａを、風向き制御板部１４２の裏面に中仕切り１２６の内面側に突出して設けてもよい。或いは、風向き制御板部１４２の裏面及び中仕切り１２６の内面の双方に設けることができ、この場合に両遮風凸部１２６ａは互いの先端が向かい合うようにすることも、又、互いの位置を前後にずらせて設けることもできる。
【００６７】
なお、本実施形態の吸込み口体１３において、吸込み口体主部１０２の幅方向に連続して延びて設けられている被掃除面検出部としての第２ブラシ毛１４３は、掃除中における吸気口１２９から空気が吹出された場合に、その空気に対する防風壁として用いることができる。つまり、床のような被掃除面に吸込み口体主部１０２を接離する際等において、仮に、風向き制御板部１４２に吹き当って吸気口１２９を通って被掃除面側に空気が吹出されるようになった情況では、第２ブラシ毛１４３が被掃除面に接触しているから、このブラシ毛１４３により被掃除面に沿って後方へ流れ出ようとする空気を遮ることができる。それにより、第２ブラシ毛１４３より吸込み口体主部１０２の後方への空気の吹き抜けとそれに伴う被掃除面上の塵埃の飛散を防止できる。
【００６８】
しかも、可撓性を有する第２ブラシ毛１４３はそれに被掃除面の段差や突起等が部分的に接触する情況では、その部分のみが段差等を逃げるように可撓変形できるため、被掃除面に突出している段差等への第２ブラシ毛１４３の接触に拘らず、このブラシ毛１４３全体が押し動かされることがなく、被掃除面とこれに対向する吸込み口体主部１０２の底壁１２２ａ外面との間に適正な大きさの吸込み間隙Ｓが形成されるまでは、被掃除面に段差等があっても風向き制御体１０４を第２制御位置に保持できるとともに、それに伴い吸気口１２９に大きな吸塵力が発生することがない。そのため、循環する空気のバランスが崩れることがあっても、循環する空気の一部が吸気口１２９を通って吸込み口体主部１０２の外に吹出されて、被掃除面上の塵埃等を吹き飛ばすことを抑制できる。
【００６９】
なお、本発明は前記実施の形態には制約されるものではない。例えば、バイパス通路は溝からなるものに代えて、風向き制御板部にその下面（吸気口に対向する面）から独立して設けたトンネル状の風洞によって形成してもよい。
【００７０】
更に、本発明において、吸込みガイドは、吸気口を開閉するものでも良く、又、前記実施形態のように被掃除面への接離に伴って吸気口に近付いたり遠ざかったりするものではなく、移動不能に設けられたものであってもよい。
【００７１】
又、本発明において接続部は吸込み口体主部に対して回動できないように設けてもよい。又、本発明において風向き制御体は省略してもよいとともに、本発明は、キャニスタ型の空気循環式電気掃除機にも適用できる。
【００７２】
【発明の効果】
本発明は、以上説明したような形態で実施され、以下に記載されるような効果を奏する。
【００７３】
請求項１〜３に記載の発明に係る吸込み口体によれば、還流吹出し口から接続部へと至る空気の流れを案内する吸込みガイドに、吸気口を通ってシーツ等の軟質掃除面が吸付けられることがあっても、吸込みガイドのバイパス通路を通して還流吹出し口から接続部へと至る空気の流れを確保できるので、吸気口から空気が吹出されることを抑制できる。
【００７４】
請求項４の発明に係る空気循環式電気掃除機によれば、請求項１〜３のいずれか１項に記載の吸込み口体を備えるから、前記第１の課題を解決できるという効果がある。
【図面の簡単な説明】
【図１】本発明の第１の実施の形態に係るハンディ型の空気循環式電気掃除機全体を掃除機本体と吸込み口体とを分離した状態で示す斜視図。
【図２】図１に示された電気掃除機全体を掃除機本体に吸込み口体が接続された状態で示す縦断側面図。
【図３】図１に示された電気掃除機の吸込み口体をその下面側から見て示す斜視図。
【図４】図３に示された吸込み口体の構成を分解して示す斜視図。
【図５】図３に示された吸込み口体の構成をその主部上ケースを取除くとともに一部を切欠いた状態で示す斜視図。
【図６】図３に示された吸込み口体の主部下ケースとこれに枢着される風向き制御体とを分解して示す斜視図。
【図７】図３に示された吸込み口体をその接続管を取除いて示す底面図。
【図８】（Ａ）は図３に示された吸込み口体の構成を被掃除面から離した状態で示す縦断側面図。
（Ｂ）は図３に示された吸込み口体の構成を被掃除面に接触させた状態で示す縦断側面図。
【図９】（Ａ）は図３に示された吸込み口体が備える接続管の構成を示す側面図。
（Ｂ）は図８（Ａ）中Ｗ−Ｗ線に沿って示す断面図。
【図１０】図４に示された吸込み口体の中仕切りの構成をその裏面側から見て示す斜視図。
【符号の説明】
１１…電気掃除機、
１２…掃除機本体、
１３…吸込み口体、
３１…集塵袋（フィルタ）、
３５…電動送風機、
１０１…接続管（接続部）、
１０２…吸込み口体主部、
１０３…還流吹出し口、
１０５…内側接続管、
１０５ａ…内側接続管の入口、
１２２ａ…底壁、
１２７…回収室、
１２８…吹出し室、
１２９…吸気口、
１４２…風向き制御板部（吸込みガイド）、
１４２ｂ…導風ガイド部位、
１４２ｂｆ…対向面、
１４５…バイパス通路。
【図１】
0003542287.tif 000002
【図２】
0003542287.tif 000003
【図３】
0003542287.tif 000004
【図４】
0003542287.tif 000005
【図５】
0003542287.tif 000006
【図６】
0003542287.tif 000007
【図７】
0003542287.tif 000008
【図８】
0003542287.tif 000009
【図９】
0003542287.tif 000010
【図１０】
0003542287.tif 000011